(57)【要約】【課題】電子機器の動作状況に応じて設定されたノイズ電波の周波数に対応したノイズ防止対策を実施すること。【解決手段】収縮性を有する板状の容器１１と、容器１１内に密に充填されたスポンジ１２と、容器１１の上下面にそれぞれ設けられた板状の電波吸収体１３と、電波吸収体１３の近傍に配された電気回路の動作状況に応じて、容器１１内の空気量を制御する空気量制御装置１４２とを備える。【選択図】図１
2014120713.tif 000002
【特許請求の範囲】
【請求項１】
収縮性を有する板状の容器と、
前記容器内に密に充填されたスポンジと、
前記容器の上下面にそれぞれ設けられた板状の電波吸収体と、
前記電波吸収体の近傍に配された電気回路の動作状況に応じて、前記容器内の空気量を制御する空気量制御装置と
を備えることを特徴とする電波吸収装置。
【請求項２】
前記空気量制御装置は、前記電気回路の動作により発生するノイズの周波数に応じて、前記容器内の空気量を制御する
ことを特徴とする請求項１に記載の電波吸収装置。
【請求項３】
前記空気量制御装置は、前記電気回路の動作により発生するノイズの周波数が低くなるにつれて、前記容器内の空気量が多くなるように制御する
ことを特徴とする請求項１又は２に記載の電波吸収装置。
【請求項４】
請求項１から３のいずれか一項に記載の電波吸収装置と、
前記電波吸収体の一方面側に配された前記電気回路と、
前記電波吸収体の他方面側に配された他の電気回路と
を備えることを特徴とする電子機器。
【請求項５】
収縮性を有する板状の容器内に、スポンジを密に充填し、
前記容器の上下面に、それぞれ板状の電波吸収体を設け、
前記電波吸収体の近傍に配された電気回路の動作状況に応じて、前記容器内の空気量を制御する
ことを特徴とする電波吸収方法。
【発明の詳細な説明】
【技術分野】
【０００１】
本発明は、電波吸収装置、電子機器、及び電波吸収方法に関する。
【背景技術】
【０００２】
携帯電話等の小型機器は、様々なデジタル機能を組み込む場合、多くのデジタル信号処理回路が使用される。それと同時に、このような小型機器は、ＣＣＤ（Ｃｈａｒｇｅ  Ｃｏｕｐｌｅｄ  Ｄｅｖｉｃｅ）等のアナログ回路も必要になる。アナログ回路が入ってきた場合は、単にＥＭＣ（ＥｌｅｃｔｒｏＭａｇｎｅｔｉｃ  Ｃｏｍｐａｔｉｂｉｌｉｔｙ）の規格を満たすためのノイズ対策だけでは不十分で、音質や画質といった人間の感覚にかかわる対策が要求されるようになる。
【０００３】
例えば、カメラ付き携帯電話の場合は、ＣＣＤ回路に携帯電話の送信電波が飛び込み、画面のちらつきやスジ状のノイズが発生する。また、携帯電話の場合は、画像処理回路のノイズが電源やグラウンドから送受信回路に回り込み、受信感度や送信スプリアスを悪化させることもある。このように、機器自身が発生する電磁波が自らの性能に悪影響を与える現象は、自家中毒問題と呼ばれている。
【０００４】
このような背景に関連技術としては、様々なものが知られている（例えば、特許文献１参照）。
【０００５】
例えば特許文献１には、１〜１８ＧＨｚの電磁波を吸収する電波吸収体が開示されている。具体的には、木炭粒子をバインダー樹脂によって固めると共に、両面を不織布又は織布若しくは樹脂膜で覆って所定の厚みとした木炭粒子層と反射板とを積層したことを特徴とする電波吸収体である。
【先行技術文献】
【特許文献】
【０００６】
【特許文献１】特開２００２−１４１６９１号公報
【発明の概要】
【発明が解決しようとする課題】
【０００７】
特許文献１には、スペーサ層の厚さが吸収対象とする周波数を設定する上で重要な要因であり、誘電体の材質により厚みを調整して各種の周波数に対処することが記載されているが、スペーサ層の厚みを調整する具体的な手段については何ら提示されていない。
【０００８】
本発明の目的は、上述した課題を解決する電波吸収装置、電子機器、及び電波吸収方法を提供することにある。
【課題を解決するための手段】
【０００９】
上記課題を解決するために、本発明の第１の形態は、電波吸収装置である。この形態は、収縮性を有する板状の容器を備える。また、この形態は、容器内に密に充填されたスポンジを備える。また、この形態は、容器の上下面にそれぞれ設けられた板状の電波吸収体を備える。また、この形態は、電波吸収体の近傍に配された電気回路の動作状況に応じて、容器内の空気量を制御する空気量制御装置を備える。
【００１０】
本発明の第２の形態は、電子機器である。この形態は、第１の形態の電波吸収装置を備える。また、この形態は、電波吸収体の一方面側に配された電気回路を備える。また、この形態は、電波吸収体の他方面側に配された他の電気回路を備える。
【００１１】
本発明の第３の形態は、電波吸収方法である。この形態は、収縮性を有する板状の容器内に、スポンジを密に充填する。また、この形態は、容器の上下面に、それぞれ板状の電波吸収体を設ける。また、この形態は、電波吸収体の近傍に配された電気回路の動作状況に応じて、容器内の空気量を制御する。
【００１２】
なおまた、上記の発明の概要は、本発明の必要な発明の全てを列挙したものではない。また、これらの特徴群のサブコンビネーションもまた、発明となり得る。
【発明の効果】
【００１３】
以上の説明から明らかなように、この発明は、電気回路の動作状況に応じてノイズの周波数が変化しても、他の電気回路へのノイズの影響を抑制することができる。
【図面の簡単な説明】
【００１４】
【図１】一実施形態に係る電波吸収装置の構成の一例を示す構成図である。
【図２】本発明の実施の形態に係る電波吸収装置を適用した携帯電話機の筐体断面を示す断面図である。
【図３】本発明の実施の形態に係る電波吸収装置の板状容器１１の通常時の状態を示す説明図である。
【図４】本発明の実施の形態に係る電波吸収装置の板状容器１１の収縮時の状態を示す説明図である。
【図５】本発明の実施の形態に係る電波吸収装置の板状容器１１の拡張時の状態を示す説明図である。
【発明を実施するための形態】
【００１５】
以下、発明の実施の形態を通じて本発明を説明するが、以下の実施形態は特許請求の範囲にかかる発明を限定するものではなく、また、実施形態の中で説明されている特徴の組み合わせの全てが発明の解決手段に必須であるとは限らない。
【００１６】
図１は、一実施形態に係る電波吸収装置１１０の構成の一例を示す。電波吸収装置１１０は、例えば、携帯電話等の電子機器の筐体内に設けられて、筐体内の電気回路から発生する電磁波を吸収するための装置である。
【００１７】
電波吸収装置１１０は、板状容器１１、スポンジ１２、電波吸収体１３、及び空気量制御装置１４を備える。
【００１８】
板状容器１１内の電波吸収体１３は、曹構造を有する。そして、該曹の内部容積は、収縮／膨張が自在となっている。この電波吸収体１３の曹内には、スポンジ１２（機密性スポンジ）を収納している。スポンジ１２の体積は、スポンジ１２が吸収する空気量に応じて収縮／復元が自在である。なお、この電波吸収体１３の内部の表面層は、スポンジ１２をサンドイッチにする状態でスポンジ１２の表面層と固着させている。よって、スポンジ１２の体積がスポンジ１２の吸収空気量に起因して収縮／復元すると、この収縮／復元に応じて電波吸収体１３の曹の容積が収縮／膨張する。よって、この収縮／膨張に連れて、主として該曹構造をなす電波吸収体１３の対向する長辺間の間隔も縮小／拡大することになる。
【００１９】
以下、本発明の実施の形態に係る電波吸収装置１１０の機能及び動作を説明する。本発明の実施の形態に係る電波吸収装置１１０は、これを携帯電話機等の電子機器に適用した場合、該電子機器の内外から生じるノイズに対する対策効果が、機器の動作状況及び該ノイズの種類に応じて得られるように制御するものである。このため、基本的には電波吸収体１３を用いたノイズ対策を行うものとする。
【００２０】
即ち、ノイズ電波が電波吸収装置１１０の電波吸収体１３を通過することで、該ノイズ電波が減衰され、電子機器の特性劣化を防ぐ。より具体的には、空気量制御装置１４が、電波吸収体１３によってサンドイッチ構造に挟まれたスポンジ１２内の空気量を制御することにより、電波吸収装置１１０の吸収体の対向する長辺間の間隔（距離）を変動させてノイズ電波を制御する。
【００２１】
このように、上記スポンジ１２内の空気量の制御は、空気量制御装置１４が、電子機器の動作状況に対応させて行うものである。より具体的には、上記の電子機器の動作状況は、ＣＰＵ１４１が検知し、その状況に応じて、予め設定された所定の空気量を空気量制御装置１４２に指示する。空気量制御装置１４２は、この指示を受けて、上記スポンジ１２内の空気量が上記指示された所定の空気量となるように制御する。
【００２２】
ＣＰＵ１４１は、例えば、該電子機器内の電気回路の動作により発生するノイズ電波の周波数に応じて、板状容器１１内の空気量を空気量制御装置１４に指示することができる。例えば、ＣＰＵ１４１は、該電子機器内の電気回路の動作により発生するノイズの周波数が低くなるにつれて、板状容器１１内の空気量が多くなるように空気量制御装置１４に指示することができる。
【００２３】
図２は、本発明の実施の形態に係る電波吸収装置を適用した携帯電話機の筐体断面を示す断面図である。図２において、基板２１の電子部品（図示は省略）から発生したノイズ電波は携帯電話機の周辺基板及び回路の動作や出力に影響を与える。しかし、本発明の実施の形態に係る電波吸収装置１１０は、該ノイズ電波が電波吸収体１３を通過することにより、該通過時に該ノイズ電波を減衰させ、この携帯電話機の特性劣化を防ぐことができる。この時の電波吸収装置１１０の動作については上述のとおりである。
【００２４】
図３は、本発明の実施の形態に係る電波吸収装置の通常時の板状容器１１の状態を示す説明図である。また、図４は、本発明の実施の形態に係る電波吸収装置の板状容器１１の収縮時の状態を示す説明図である。さらに、図５は、本発明の実施の形態に係る電波吸収装置の板状容器１１の拡張時の状態を示す説明図である。電子機器内の電気回路の動作状況は、予めパターン化しておくことができるが、図３〜５に示す状態の各々は、このパターンのいずれか１つに対応した状態を示すものである。該パターンの各々に対応したノイズ対策（具体的には該パターンの各々に対応するスポンジ１２内部の空気量）は、予めＣＰＵ１４１において設定しておくことで実現することができる。
【００２５】
図３に示す状態は、板状容器１１の空気圧が通常時の状態を示すものであり、この通常時の状態は、上記パターンがパターン２の場合に対応し、中周波数ノイズ対策や、無線通信時に適用することができる。
【００２６】
また、図４に示す状態は、板状容器１１の空気圧が低圧時の状態を示すものであり、この低圧時の状態は、上記パターンがパターン１の場合に対応し、高周波数ノイズ対策やＷＬＡＮ動作時に適用することができる。
【００２７】
さらに、図５に示す状態は、板状容器１１の空気圧が高圧時の状態を示すものであり、この高圧時の状態は、上記パターンがパターン３の場合に対応し、低周波数ノイズ対策や、ＭＭ放送動作時に適用することができる。
【００２８】
なお、本発明に係る電子機器は、上述の電波吸収装置１１０と、上記電気回路とを備える電子機器である。また本発明に係る電波吸収方法は、収縮性を有する板状の容器内にスポンジを密に充填すると共に、前記容器の上下面にそれぞれ板状の電波吸収体を設け、該電波吸収体の近傍に配された電気回路の動作状況に応じて、上記板状容器内の空気量を制御するものである。
【００２９】
この実施形態に係る電子機器によれば、電子機器の動作状況に応じて、該動作時に発生するノイズ電波を、板状容器１１の内部にスポンジ１２をサンドイッチ構造として挟み込んだ曹構造の電波吸収体１３を用いて打ち消すことができる効果が有る。また、このスポンジ１２が吸収する空気量を電子機器の動作状況に応じて調整することで、電波吸収体１３の対向する長辺間の間隔を変化させた上で上記ノイズ電波をキャンセリングするので、上記電子機器の特性劣化を防ぐことができる効果が有る。
【符号の説明】
【００３０】
１１０  電波吸収装置
１１  板状容器
１２  スポンジ
１３  電波吸収体
１４１  ＣＰＵ
１４２  空気量制御装置
【図１】
2014120713.tif 000003
【図２】
2014120713.tif 000004
【図３】
2014120713.tif 000005
【図４】
2014120713.tif 000006
【図５】
2014120713.tif 000007